(57)【要約】    【課題】  タイルの表面よりも小さな発光体を使用するもタイルの表面全面がほぼ均等に光り、しかも滑り止めも期待できる発光タイルを提供することにある。    【解決手段】  裏面に凹所が形成された透光性のタイル本体と、凹所内に組み込む面状発光体とが備えられ、面状発光体の発光面がタイル本体の表面よりも小さく形成される一方、タイル本体における凹所内の天井面が光を乱反射させる粗面に形成され、タイル本体の表面には、光を反射させるプリズム機能を有する複数の凸部が突設され、これら凸部は、凹所内に組み込んだ面状発光体の発光面を囲むように配置された。  【選択図】  図３
2006257699.tif 000002
【特許請求の範囲】
【請求項１】
裏面に凹所が形成された透光性のタイル本体と、凹所内に組み込む面状発光体とが備えられ、面状発光体の発光面がタイル本体の表面よりも小さく形成される一方、、タイル本体における凹所内の天井面が光を乱反射させる粗面に形成され、タイル本体の表面には、光を反射させるプリズム機能を有する複数の凸部が突設されていることを特徴とする発光タイル。
【請求項２】
凸部が、凹所内に組み込んだ面状発光体の発光面を囲むように配置されていることを特徴とする請求項１に記載の発光タイル。
【請求項３】
凸部が、断面略三角形状に形成されていることを特徴とする請求項１または２に記載の発光タイル。
【発明の詳細な説明】
【技術分野】
【０００１】
本発明は、主として発光体を備えてなる発光タイルに関する。
【背景技術】
【０００２】
一般に玄関のアプローチや建物に通じるアプローチにはタイルが敷き詰められることがあるが、夜間などには足元が暗くなることから、このアプローチの足元を照らしたり、あるいは誘導するために照明を設ける必要がある。
【０００３】
そこで、従来では表面が光る発光タイルが提案されており、この発光タイルとしては、例えば、透明なプレート状のタイル本体の裏側に小型の蛍光灯が設置された構成のものや、透明なプレート状のタイル本体内に面状発光体と太陽電池とを組み込んだもの(特許文献１参照)が提案されている。
【０００４】
以上の発光タイルでは、例えば夜間などにおいて、蛍光灯や面状発光体が点灯して、闇の中でタイルの表面が光ることから、夜間の景観を高めるだけでなく、足元が明るくなるものである。
【０００５】
ところで以上の発光タイルでは、タイルの表面を全面にわたってほぼ均一に光らせようとする場合には、タイルの表面とほぼ同一の大きさの例えば面状発光体を内装すればよいのであるが、例えば面状発光体は、その形状が大きくなればなるほど製造コストが飛躍的に高くなるし、また使用する電気の量も増大して、それだけランニングコストも高くなる。
【０００６】
一方、タイルは比較的滑り易く、そのため、滑り止めの加工をタイルの表面に施す必要もある。
【特許文献１】特開２０００−２９０９４５号
【発明の開示】
【発明が解決しようとする課題】
【０００７】
本発明は以上の実情に鑑みて開発したものであって、目的とするところは、タイルの表面よりも小さな発光体を使用するもタイルの表面全面がほぼ均等に光り、しかも滑り止めも期待できる発光タイルを提供することにある。
【課題を解決するための手段】
【０００８】
前記した目的を達成するために、請求項１に記載の発明は、裏面に凹所が形成された透光性のタイル本体と、凹所内に組み込む面状発光体とが備えられ、面状発光体の発光面がタイル本体の表面よりも小さく形成される一方、タイル本体における凹所内の天井面が光を乱反射させる粗面に形成され、タイル本体の表面には、光を反射させるプリズム機能を有する複数の凸部が突設されていることを特徴とするものである。
【０００９】
請求項２に記載の発明は、請求項１に記載の凸部が、凹所内に組み込んだ面状発光体の発光面を囲むように配置されていることを特徴とするものである。
【００１０】
請求項３に記載の発明は、請求項１または２に記載の凸部が、断面略三角形状に形成されていることを特徴とするものである。
【発明の効果】
【００１１】
請求項１に記載の発明によれば、タイル本体の表面よりも小さな面状発光体の発光面から発する光の一部がタイル本体を直接通過すると共に、光の一部は凹所の粗面となっている天井面で屈曲してタイル本体内に入った後、前記天井面と凸部との間で反射を繰り返した後、タイル本体の表面上方に抜け、その結果、タイル本体の表面における面状発光体が対向していない周縁部にも光が回り込んで、タイル本体の表面全体が面状にほぼ均等に光るのであり、従って、全体として、製造コスト及びランニングコストを安価とすることが出来、それでいながら、タイルの表面全面がほぼ均等に光らせることが出来、しかもタイルの滑り止めも期待できるのである。
【００１２】
また面状発光体がタイル本体の凹所に組み込まれているので、タイルの厚さを薄く出来、しかも面状発光体をタイル本体で保護することが出来る。
【００１３】
請求項２に記載の発明によれば、請求項１に記載の発明の効果に加え、タイル本体の表面における面状発光体が対向していない周縁部への光の拡散をより一層効率良く行なうことが出来る。
【００１４】
請求項３に記載の発明によれば、請求項１または２に記載の発明の効果に加え、凸部による滑り止めの機能をより一層発揮することが出来る。
【発明を実施するための最良の形態】
【００１５】
以下、本発明の実施形態について図面を参照しながら説明する。
【００１６】
図１は実施形態の発光タイル１を斜め上方から見た状態を示す斜視図、図２は、実施形態の発光タイル１を真上から見た平面図。図３は実施形態の発光タイル１の断面図、図４は同要部の拡大断面図である。
【００１７】
そして図１〜図３に示す発光タイル１は、基本的には、
平面視正方形に形成された透光性を有するタイル本体２と、
このタイル本体２に組み込まれる平面視正方形とした面状発光体３とから構成されている。
【００１８】
図に示す実施形態のタイル本体２は、一辺が１４０ｍｍの正方形で且つ高さが２０ｍｍである。
【００１９】
またこのタイル本体２は、透明のガラスから形成されており、このタイル本体２の裏面には、タイル本体２の外形よりも一回り小さな平面視正方形の凹所２１が形成されている。
【００２０】
この凹所２１は、一辺が１２０ｍｍの正方形で深さが１０ｍｍである。
【００２１】
そして、この凹所２１の天井面２２は、シボ加工が施されて、光が乱反射可能な粗面となっており、この凹所２１内に配置される面状発光体３からの光の一部が天井面２２で乱反射するようにしている。
【００２２】
面状発光体３は、一辺が９０ｍｍの正方形で高さが５ｍｍである。
【００２３】
面状発光体３は、平面視正方形としたプレート状の導光板３１と、この導光板３１の一端に組み込まれた複数個のＬＥＤとが備えられて、この導光板３１の表面が正方形の発光面となって、この導光板３１の表面全面がほぼ均等に光るように構成されている。
【００２４】
尚、図中３２は電源に接続するための接続線であって、この接続線３２の先端にはコネクタ３３が取り付けられている。
【００２５】
そして以上の面状発光体３は、タイル本体２における凹所２１内の中央にセットして、その発光面を凹所２１の天井面２２に当接させた状態で、凹所２１内にシリコン樹脂２３を充填して、このシリコン樹脂２３で凹所２１を埋めることで、図３に示すように、面状発光体３をタイル本体２内に埋設している。
【００２６】
また前述のタイル本体２の表面の周囲には、図２に示すように、タイル本体２の周囲４辺の各辺に対してそれぞれ平行にライン状に延びる５本の凸部４が、辺毎にそれぞれ形成され、これらライン状に延びる凸部４で面状発光体３の周囲が取り囲まれるようにしている。
【００２７】
これら凸部４は、図４にも示すようにその断面が略二等辺三角形に形成され、その頂点部分Ｐは、僅かに丸みを帯びている。
【００２８】
凸部４の高さは約２ｍｍであって、この凸部４は、凸部４に対する光の入射方向の如何により、光線の方向を所定方向に変更させるいわゆるプリズムの機能をも果たす。
【００２９】
以上の構成から成る発光タイル１にあっては、例えば建物に通じるアプローチなどの床面に敷設して、接続線３２を適宜電源に接続するのであって、これにより、歩行時に、タイル本体２の表面に突設している複数の凸部４が滑り止めとしての作用を果たして、足元が不用意に滑るのを抑制することが出来る。
【００３０】
一方、夜間などにおいて、接続線３２を介して面状発光体３に通電することで、面状発光体３が点灯するのであって、これに伴い、面状発光体３の発光面から発する光の一部がタイル本体２を直接通過すると共に、光の一部は、タイル本体２内に入った後、タイル本体２において粗面となっている天井面２２と凸部４との間で何度か反射を繰り返して周囲に拡散した後、タイル本体の表面上方に抜け出るのである。
【００３１】
その結果、タイル本体２の表面における面状発光体３が対向していない周縁部にも光が回り込んで、タイル本体２の表面全体から光が漏れ出すこととなって、タイル本体２の表面全体がほぼ均等に面状に光り、眩しすぎたり目障りになったりするようなこともないのである。
【００３２】
以上の実施形態では、タイル本体２の表面にライン状の凸部４を突設したが、これに限定されるものではなく、例えば四角錐状に突出する凸部４を多数形成するようにしてもよい。
【００３３】
また以上の実施形態では、平面視正方形としたタイル本体２を用いたが、これに限定されるものではなく、例えば平面視円形または直角二等辺三角形としたタイル本体２にも応用できる。
【００３４】
また面状発光体３としては、有機ＥＬＤや蛍光管を用いたものでもよい。
【００３５】
また以上の実施形態では、タイル本体２の表面に突設する凸部４の断面形状を略二等辺三角形に形成したが、これに限定されるものではなく、例えば、談論略正三角形に形成してもよいし、あるいは断面台形に形成してもよい。
【図面の簡単な説明】
【００３６】
【図１】本発明にかかる照明器具の一実施形態を示す斜視図。
【図２】図１に示す照明器具の平面図。
【図３】図２におけるＡ−Ａ線断面図。
【図４】同、要部の拡大断面図。
【符号の説明】
【００３７】
１      発光タイル
２      タイル本体
２１    凹所
２２    天井面
２３    シリコン樹脂
３      面状発光体
４      凸部
【図１】
2006257699.tif 000003
【図２】
2006257699.tif 000004
【図３】
2006257699.tif 000005
【図４】
2006257699.tif 000006